(57)【要約】【課題】紙の文書を用いたハイパーテキスト（紙ハイパーテキスト）を実現することにより，紙の文書の新たな利用法を提供すると共に，紙の文書の利便性の向上を図ること。【解決手段】特定の単語，文章，シンボルまたはグラフィックに関連する情報からなる関連情報と，単語，文章，シンボル，グラフィックの何れかからなる少なくとも一つの記載情報と，記載情報と関連情報とを連結させるための連結情報と，記載情報の中から特定の記載情報を選択するための選択情報と，が記録された媒体用紙と，選択情報，連結情報および関連情報を媒体用紙から読み取る読取手段と，読取手段で読み取った選択情報および連結情報に基づいて，関連情報から該当する関連情報を検索する検索手段と，検索手段によって検索した該当する関連情報を出力する出力手段とを備え，関連情報が媒体用紙の裏面に記録されている。【選択図】        図１
2004348747.tif 000002
【特許請求の範囲】
【請求項１】
特定の単語，文章，シンボルまたはグラフィックに関連する情報からなる少なくとも一つの関連情報と，単語，文章，シンボル，グラフィックの何れかからなる少なくとも一つの記載情報と，前記記載情報と前記関連情報とを連結させるための連結情報と，前記記載情報の中から特定の記載情報を選択するための選択情報と，が記録された媒体用紙と，
前記選択情報，連結情報および関連情報を前記媒体用紙から読み取る読取手段と，
前記読取手段で読み取った選択情報および連結情報に基づいて，前記関連情報から該当する関連情報を検索する検索手段と，
前記検索手段によって検索した前記該当する関連情報を出力する出力手段と，を備え，
前記関連情報が前記媒体用紙の裏面に記録されていることを特徴とする文書情報管理システム。
【請求項２】
前記媒体用紙を前記読取手段に搬送すると共に，前記読取手段が前記媒体用紙の片側の面を読み取った後，前記媒体用紙を反転させて再度前記読取手段に搬送するシート自動搬送手段を備えたことを特徴とする請求項１記載の文書情報管理システム。
【請求項３】
前記媒体用紙の裏面に前記関連情報が記録されているか否かを確認する確認手段を備え，前記シート自動搬送手段は，前記確認手段で前記関連情報が確認されなかった場合に，前記読取手段が前記媒体用紙の片側の面を読み取った後，そのまま搬出し，前記確認手段で前記関連情報が確認された場合に，前記読取手段が前記媒体用紙の片側の面を読み取った後，前記媒体用紙を反転させて再度前記読取手段に搬送することを特徴とする請求項２記載の文書情報管理システム。
【請求項４】
前記読取手段は，前記媒体用紙の最初に読み取った片面の情報から前記媒体用紙が表面であるか裏面であるかを判定し，裏面である場合には，前記シート自動搬送手段を制御して，前記媒体用紙を反転させて前記媒体用紙の表面を読み取った後，再度前記媒体用紙を反転させて前記媒体用紙の裏面の読み取りを行うことを特徴とする請求項２または３記載の文書情報管理システム。
【請求項５】
前記読取手段は，前記媒体用紙の表面に記録されている情報を読み取る第１の読取部と，前記媒体用紙の裏面に記録されている情報を読み取る第２の読取部とから構成され，さらに前記媒体用紙を前記第１の読取部に搬送した後，前記第２の読取部に搬送する搬送手段を備えたことを特徴とする請求項１記載の文書情報管理システム。
【請求項６】
前記関連情報は，前記媒体用紙の表面および裏面の両方に記録されていることを特徴とする請求項１〜５のいずれか一つに記載の文書情報管理システム。
【請求項７】
前記出力手段は，前記関連情報の出力に加えて，前記選択情報によって選択された記載情報を出力することを特徴とする請求項１〜６のいずれか一つに記載の文書情報管理システム。
【請求項８】
前記出力手段と読取手段が別体の装置からなることを特徴とする請求項１〜６のいずれか一つに記載の文書情報管理システム。
【請求項９】
特定の単語，文章，シンボルまたはグラフィックに関連する情報からなる少なくとも一つの関連情報と，単語，文章，シンボル，グラフィックの何れかからなる少なくとも一つの記載情報と，前記記載情報と前記関連情報とを連結させるための連結情報と，前記記載情報の中から特定の記載情報を選択するための選択情報と，が記録された媒体用紙と，
前記選択情報，連結情報および関連情報を前記媒体用紙から読み取る読取手段と，
前記読取手段で読み取った選択情報および連結情報に基づいて，前記関連情報から該当する関連情報を検索する検索手段と，
前記検索手段によって検索した前記該当する関連情報および前記読取手段で読み取った媒体用紙上の画像を出力する出力手段と，を備えたことを特徴とする文書情報管理システム。
【請求項１０】
前記出力手段は，前記該当する関連情報と前記媒体用紙の画像とをそれぞれ別の用紙に出力することを特徴とする請求項９記載の文書情報管理システム。
【請求項１１】
前記検索手段によって検索した前記該当する関連情報および前記読取手段で読み取った媒体用紙上の画像を入力し，前記該当する関連情報と前記媒体用紙上の画像とを合成する合成手段を備え，前記合成手段は，前記該当する関連情報を前記媒体用紙上の画像中の選択情報の近傍に合成し，前記出力手段は，前記合成手段で合成した画像を出力することを特徴とする請求項９に記載の文書情報管理システム。
【請求項１２】
前記検索手段によって検索した前記該当する関連情報および前記読取手段で読み取った媒体用紙上の画像を入力し，前記該当する関連情報と前記媒体用紙上の画像とを合成する合成手段を備え，前記合成手段は，前記該当する関連情報を前記媒体用紙上の画像中に脚注として合成し，前記出力手段は，前記合成手段で合成した画像を出力することを特徴とする請求項９記載の文書情報管理システム。
【請求項１３】
前記検索手段によって検索した前記該当する関連情報および前記読取手段で読み取った媒体用紙上の画像を入力し，前記該当する関連情報と前記媒体用紙上の画像とを合成する合成手段を備え，前記合成手段は，前記該当する関連情報を前記媒体用紙上の画像中の選択された記載情報の直後に合成し，前記出力手段は，前記合成手段で合成した画像を出力することを特徴とする請求項９記載の文書情報管理システム。
【請求項１４】
前記関連情報は，１次元バーコードまたは２次元バーコードで記録された情報であり，前記検索手段は，１次元バーコードまたは２次元バーコードで記録された情報を画像データに変換して前記出力手段に出力することを特徴とする請求項１〜１３のいずれか一つに記載の文書情報管理システム。
【請求項１５】
前記関連情報は，非可視光で読み取り可能な半透明のインクまたはトナーを用いて記録されていることを特徴とする請求項１〜１４のいずれか一つに記載の文書情報管理システム。
【請求項１６】
前記連結情報および関連情報は，１次元バーコードまたは２次元バーコードで記録された情報であることを特徴とする請求項１〜１５のいずれか一つに記載の文書情報管理システム。
【請求項１７】
前記連結情報および関連情報は，非可視光で読み取り可能な半透明のインクまたはトナーを用いて記録されていることを特徴とする請求項１〜１６のいずれか一つに記載の文書情報管理システム。
【請求項１８】
特定の単語，文章，シンボルまたはグラフィックに関連する情報からなる少なくとも一つの関連情報と，単語，文章，シンボル，グラフィックの何れかからなる少なくとも一つの記載情報と，前記記載情報と前記関連情報とを連結させるための連結情報と，前記記載情報の中から特定の記載情報を選択するための選択情報と，が記録された媒体用紙から前記選択情報，連結情報および関連情報を読み取る第１の工程と，
読み取った選択情報および連結情報に基づいて，前記関連情報から該当する関連情報を検索する第２の工程と，
検索した前記該当する関連情報を出力する第３の工程と，を備え，
前記関連情報が前記媒体用紙の裏面に記録されていることを特徴とする文書情報管理方法。
【請求項１９】
前記関連情報は，前記媒体用紙の表面および裏面の両方に記録されていることを特徴とする請求項１８に記載の文書情報管理方法。
【請求項２０】
特定の単語，文章，シンボルまたはグラフィックに関連する情報からなる少なくとも一つの関連情報と，単語，文章，シンボル，グラフィックの何れかからなる少なくとも一つの記載情報と，前記記載情報と前記関連情報とを連結させるための連結情報と，前記記載情報の中から特定の記載情報を選択するための選択情報と，が記録された媒体用紙から前記選択情報，連結情報および関連情報を読み取る第１の工程と，
読み取った選択情報および連結情報に基づいて，前記関連情報から該当する関連情報を検索する第２の工程と，
検索した前記該当する関連情報および前記第１の工程で読み取った媒体用紙上の画像を出力する第３の工程と，を備えたことを特徴とする文書情報管理方法。
【請求項２１】
前記該当する関連情報および前記読み取った媒体用紙上の画像を入力し，前記該当する関連情報を前記媒体用紙上の画像中の選択情報の近傍に合成する第４の工程を備え，前記第３の工程において前記第４の工程で合成した画像を出力することを特徴とする請求項２０に記載の文書情報管理方法。
【請求項２２】
前記該当する関連情報および前記読み取った媒体用紙上の画像を入力し，前記該当する関連情報を前記媒体用紙上の画像中に脚注として合成する第４の工程を備え，前記第３の工程において前記第４の工程で合成した画像を出力することを特徴とする請求項２０に記載の文書情報管理方法。
【請求項２３】
前記該当する関連情報および前記読み取った媒体用紙上の画像を入力し，前記該当する関連情報を前記媒体用紙上の画像中の選択された記載情報の直後に合成する第４の工程を備え，前記第３の工程において前記第４の工程で合成した画像を出力することを特徴とする請求項２０記載の文書情報管理方法。
【請求項２４】
前記媒体用紙に記録されている関連情報は，１次元バーコードまたは２次元バーコードで記録された情報であり，前記第３の工程で出力する関連情報は，１次元バーコードまたは２次元バーコードで記録された情報を画像データに変換したものであることを特徴とする請求項１８〜２３のいずれか一つに記載の文書情報管理方法。
【請求項２５】
前記連結情報または／および関連情報は，非可視光で読み取り可能な半透明のインクまたはトナーを用いて記録されていることを特徴とする請求項１８〜２４のいずれか一つに記載の文書情報管理方法。
【発明の詳細な説明】
【技術分野】
【０００１】
本発明は，文書情報管理システムおよび文書情報管理方法に関し，より詳細には，第一位に伝えたい文書情報と該文書情報に関連する追加的な文書情報（関連情報）とを同一の用紙（媒体用紙）に記録して，第一位に伝えたい文書情報から関連する文書情報を検索できるようにした文書情報管理システムおよび文書情報管理方法に関する。
【背景技術】
【０００２】
一般に，紙に記録された文書（以下，紙の文書と記載する）は，常に，人間が目で容易に理解できるように情報が記録されている。したがって，紙の文書そのものが，情報を記録する記録媒体としての役割と，情報を見るための表示手段としての役割を担っており，これによって，読みやすさ，持ち運びの利便性，扱いやすさ，利用可能な環境条件，実務作業との連続性等において優れた特性を示している。
【０００３】
一方，近年，コンピューター関連技術・マンマシンインタフェースの発達や，ネットワーク環境の整備によって文書の電子化が進み，これによってオフィスのペーパーレス化が促進されている。
【０００４】
ところが，電子化された文書には多くの利点があるものの，実際の紙の文書と比較した場合に，読みやすさ，持ち運びの利便性，扱いやすさ，利用可能な環境条件，実務作業との連続性等において種々の制限が存在するため，電子化した文書を現実作業において使用する場合には，一旦，プリンター等で記録紙に出力した後，紙の文書として使用した方が効率の良いことも多い。したがって，これからのオフィス環境では，作業の目的に応じて紙の文書と電子化した文書が共存する状況になる。
【発明の開示】
【発明が解決しようとする課題】
【０００５】
しかしながら，従来の紙の文書によれば，常に，人間が目で容易に理解できるように情報を記録することを前提としているため，一枚の紙の文書に記録可能な情報量が，視認可能な文字の大きさおよび紙の大きさによって物理的に制限されるという問題点や，文書全体の情報量が増えるに比例してページ数（紙の枚数）が増加し，紙の文書を保存する際に多くのスペースを必要とするという問題点があった。
【０００６】
また，従来の紙の文書によれば，紙に記録された情報を人間が目で容易に理解できる最終のアウトプットの情報として利用しており，一般的にそれ以外の利用を行っていなかった。
【０００７】
一方，デジタルの世界において，電子化した文書の先進概念としてハイパーテキストの文書が存在する。具体的には，ハイパーテキストとは，リンク（関連づけ）されたテキスト（電子化した文書）の集まりであり，リンク構造を通じて，階層的・多元的に関連づけされた各テキストを任意の順序で参照できるようにしたマルチメディアソフトの基本概念である。したがって，このハイパーテキストの文書には，ユーザーに対して視覚的に提供される情報の他に，リンク構造を形成するための情報（すなわち，ハイパーテキストとしての情報）が含まれている。
【０００８】
ところが，従来の技術において，ハイパーテキストの文書は電子化した文書として存在しているため，ハイパーテキストの概念そのものが，電子化した文書を扱うデジタルの世界（仮想現実）の中のみで利用されていた。したがって，紙の文書をハイパーテキストの文書として扱い，現実世界において紙の文書を用いてハイパーテキストを実現するという概念（この概念を紙ハイパーテキストと定義し，以下，紙ハイパーテキストと記載する）はこれまで存在していなかった。
【０００９】
本発明は上記に鑑みてなされたものであって，視認可能な文字の大きさに制限されることなく，記録する文書全体の情報量を増やすと共に，紙の文書を保存する際の保存スペースの低減を図ることを目的とする。
【００１０】
本発明は上記に鑑みてなされたものであって，紙の文書を用いたハイパーテキスト（紙ハイパーテキスト）を実現することにより，紙の文書の新たな利用法を提供すると共に，紙の文書の利便性の向上を図ることを目的とする。
【課題を解決するための手段】
【００１１】
上述した課題を解決し、目的を達成するために、請求項１にかかる発明は、  特定の単語，文章，シンボルまたはグラフィックに関連する情報からなる少なくとも一つの関連情報と，単語，文章，シンボル，グラフィックの何れかからなる少なくとも一つの記載情報と，前記記載情報と前記関連情報とを連結させるための連結情報と，前記記載情報の中から特定の記載情報を選択するための選択情報と，が記録された媒体用紙と，前記選択情報，連結情報および関連情報を前記媒体用紙から読み取る読取手段と，前記読取手段で読み取った選択情報および連結情報に基づいて，前記関連情報から該当する関連情報を検索する検索手段と，前記検索手段によって検索した前記該当する関連情報を出力する出力手段と，を備え，前記関連情報が前記媒体用紙の裏面に記録されていることを特徴とする。
【００１２】
また、請求項２に係る発明は、請求項１記載の文書情報管理システムにおいて、前記媒体用紙を前記読取手段に搬送すると共に，前記読取手段が前記媒体用紙の片側の面を読み取った後，前記媒体用紙を反転させて再度前記読取手段に搬送するシート自動搬送手段を備えたことを特徴とする。
【００１３】
また、請求項３に係る発明は、請求項２記載の文書情報管理システムにおいて、前記媒体用紙の裏面に前記関連情報が記録されているか否かを確認する確認手段を備え，前記シート自動搬送手段は，前記確認手段で前記関連情報が確認されなかった場合に，前記読取手段が前記媒体用紙の片側の面を読み取った後，そのまま搬出し，前記確認手段で前記関連情報が確認された場合に，前記読取手段が前記媒体用紙の片側の面を読み取った後，前記媒体用紙を反転させて再度前記読取手段に搬送することを特徴とする。
【００１４】
また、請求項４に係る発明は、請求項２または３記載の文書情報管理システムにおいて、前記読取手段は，前記媒体用紙の最初に読み取った片面の情報から前記媒体用紙が表面であるか裏面であるかを判定し，裏面である場合には，前記シート自動搬送手段を制御して，前記媒体用紙を反転させて前記媒体用紙の表面を読み取った後，再度前記媒体用紙を反転させて前記媒体用紙の裏面の読み取りを行うことを特徴とする。
【００１５】
また、請求項５に係る発明は、請求項１記載の文書情報管理システムにおいて、前記読取手段は，前記媒体用紙の表面に記録されている情報を読み取る第１の読取部と，前記媒体用紙の裏面に記録されている情報を読み取る第２の読取部とから構成され，さらに前記媒体用紙を前記第１の読取部に搬送した後，前記第２の読取部に搬送する搬送手段を備えたことを特徴とする。
【００１６】
また、請求項６に係る発明は、請求項１〜５のいずれか一つに記載の文書情報管理システムにおいて、前記関連情報は，前記媒体用紙の表面および裏面の両方に記録されていることを特徴とする。
【００１７】
また、請求項７に係る発明は、請求項１〜６のいずれか一つに記載の文書情報管理システムにおいて、前記出力手段は，前記関連情報の出力に加えて，前記選択情報によって選択された記載情報を出力することを特徴とする。
【００１８】
また、請求項８に係る発明は、請求項１〜６のいずれか一つに記載の文書情報管理システムにおいて、前記出力手段と読取手段が別体の装置からなることを特徴とする。
【００１９】
また、請求項９に係る発明は、特定の単語，文章，シンボルまたはグラフィックに関連する情報からなる少なくとも一つの関連情報と，単語，文章，シンボル，グラフィックの何れかからなる少なくとも一つの記載情報と，前記記載情報と前記関連情報とを連結させるための連結情報と，前記記載情報の中から特定の記載情報を選択するための選択情報と，が記録された媒体用紙と，前記選択情報，連結情報および関連情報を前記媒体用紙から読み取る読取手段と，前記読取手段で読み取った選択情報および連結情報に基づいて，前記関連情報から該当する関連情報を検索する検索手段と，前記検索手段によって検索した前記該当する関連情報および前記読取手段で読み取った媒体用紙上の画像を出力する出力手段と，を備えたことを特徴とする。
【００２０】
また、請求項１０に係る発明は、請求項９記載の文書情報管理システムにおいて、前記出力手段は，前記該当する関連情報と前記媒体用紙の画像とをそれぞれ別の用紙に出力することを特徴とする。
【００２１】
また、請求項１１に係る発明は、請求項９に記載の文書情報管理システムにおいて、前記検索手段によって検索した前記該当する関連情報および前記読取手段で読み取った媒体用紙上の画像を入力し，前記該当する関連情報と前記媒体用紙上の画像とを合成する合成手段を備え，前記合成手段は，前記該当する関連情報を前記媒体用紙上の画像中の選択情報の近傍に合成し，前記出力手段は，前記合成手段で合成した画像を出力することを特徴とする。
【００２２】
また、請求項１２に係る発明は、請求項９記載の文書情報管理システムにおいて、前記検索手段によって検索した前記該当する関連情報および前記読取手段で読み取った媒体用紙上の画像を入力し，前記該当する関連情報と前記媒体用紙上の画像とを合成する合成手段を備え，前記合成手段は，前記該当する関連情報を前記媒体用紙上の画像中に脚注として合成し，前記出力手段は，前記合成手段で合成した画像を出力することを特徴とする。
【００２３】
また、請求項１３に係る発明は、請求項９記載の文書情報管理システムにおいて、前記検索手段によって検索した前記該当する関連情報および前記読取手段で読み取った媒体用紙上の画像を入力し，前記該当する関連情報と前記媒体用紙上の画像とを合成する合成手段を備え，前記合成手段は，前記該当する関連情報を前記媒体用紙上の画像中の選択された記載情報の直後に合成し，前記出力手段は，前記合成手段で合成した画像を出力することを特徴とする。
【００２４】
また、請求項１４に係る発明は、請求項１〜１３のいずれか一つに記載の文書情報管理システムにおいて、前記関連情報は，１次元バーコードまたは２次元バーコードで記録された情報であり，前記検索手段は，１次元バーコードまたは２次元バーコードで記録された情報を画像データに変換して前記出力手段に出力することを特徴とする。
【００２５】
また、請求項１５に係る発明は、請求項１〜１４のいずれか一つに記載の文書情報管理システムにおいて、前記関連情報は，非可視光で読み取り可能な半透明のインクまたはトナーを用いて記録されていることを特徴とする。
【００２６】
また、請求項１６に係る発明は、請求項１〜１５のいずれか一つに記載の文書情報管理システムにおいて、前記連結情報および関連情報は，１次元バーコードまたは２次元バーコードで記録された情報であることを特徴とする。
【００２７】
また、請求項１７に係る発明は、請求項１〜１６のいずれか一つに記載の文書情報管理システムにおいて、前記連結情報および関連情報は，非可視光で読み取り可能な半透明のインクまたはトナーを用いて記録されていることを特徴とする。
【００２８】
また、請求項１８に係る発明は、特定の単語，文章，シンボルまたはグラフィックに関連する情報からなる少なくとも一つの関連情報と，単語，文章，シンボル，グラフィックの何れかからなる少なくとも一つの記載情報と，前記記載情報と前記関連情報とを連結させるための連結情報と，前記記載情報の中から特定の記載情報を選択するための選択情報と，が記録された媒体用紙から前記選択情報，連結情報および関連情報を読み取る第１の工程と，読み取った選択情報および連結情報に基づいて，前記関連情報から該当する関連情報を検索する第２の工程と，検索した前記該当する関連情報を出力する第３の工程と，を備え，前記関連情報が前記媒体用紙の裏面に記録されていることを特徴とする。
【００２９】
また、請求項１９に係る発明は、請求項１８に記載の文書情報管理方法において、前記関連情報は，前記媒体用紙の表面および裏面の両方に記録されていることを特徴とする。
【００３０】
また、請求項２０に係る発明は、特定の単語，文章，シンボルまたはグラフィックに関連する情報からなる少なくとも一つの関連情報と，単語，文章，シンボル，グラフィックの何れかからなる少なくとも一つの記載情報と，前記記載情報と前記関連情報とを連結させるための連結情報と，前記記載情報の中から特定の記載情報を選択するための選択情報と，が記録された媒体用紙から前記選択情報，連結情報および関連情報を読み取る第１の工程と，読み取った選択情報および連結情報に基づいて，前記関連情報から該当する関連情報を検索する第２の工程と，検索した前記該当する関連情報および前記第１の工程で読み取った媒体用紙上の画像を出力する第３の工程と，を備えたことを特徴とする。
【００３１】
また、請求項２１に係る発明は、請求項２０に記載の文書情報管理方法において、前記該当する関連情報および前記読み取った媒体用紙上の画像を入力し，前記該当する関連情報を前記媒体用紙上の画像中の選択情報の近傍に合成する第４の工程を備え，前記第３の工程において前記第４の工程で合成した画像を出力することを特徴とする。
【００３２】
また、請求項２２に係る発明は、請求項２０に記載の文書情報管理方法において、前記該当する関連情報および前記読み取った媒体用紙上の画像を入力し，前記該当する関連情報を前記媒体用紙上の画像中に脚注として合成する第４の工程を備え，前記第３の工程において前記第４の工程で合成した画像を出力することを特徴とする。
【００３３】
また、請求項２３に係る発明は、請求項２０記載の文書情報管理方法において、前記該当する関連情報および前記読み取った媒体用紙上の画像を入力し，前記該当する関連情報を前記媒体用紙上の画像中の選択された記載情報の直後に合成する第４の工程を備え，前記第３の工程において前記第４の工程で合成した画像を出力することを特徴とする。
【００３４】
また、請求項２４に係る発明は、請求項１８〜２３のいずれか一つに記載の文書情報管理方法において、前記媒体用紙に記録されている関連情報は，１次元バーコードまたは２次元バーコードで記録された情報であり，前記第３の工程で出力する関連情報は，１次元バーコードまたは２次元バーコードで記録された情報を画像データに変換したものであることを特徴とする。
【００３５】
また、請求項２５に係る発明は、請求項１８〜２４のいずれか一つに記載の文書情報管理方法において、前記連結情報または／および関連情報は，非可視光で読み取り可能な半透明のインクまたはトナーを用いて記録されていることを特徴とする。
【発明の効果】
【００３６】
請求項１にかかる発明によれば、特定の単語，文章，シンボルまたはグラフィックに関連する情報からなる少なくとも一つの関連情報と，単語，文章，シンボル，グラフィックの何れかからなる少なくとも一つの記載情報と，前記記載情報と前記関連情報とを連結させるための連結情報と，前記記載情報の中から特定の記載情報を選択するための選択情報と，が記録された媒体用紙と，前記選択情報，連結情報および関連情報を前記媒体用紙から読み取る読取手段と，前記読取手段で読み取った選択情報および連結情報に基づいて，前記関連情報から該当する関連情報を検索する検索手段と，前記検索手段によって検索した前記該当する関連情報を出力する出力手段とを備え，前記関連情報が前記媒体用紙の裏面に記録されているため，紙の文書を用いたハイパーテキスト（紙ハイパーテキスト）を実現することができ，紙の文書の新たな利用法を提供すると共に，紙の文書の利便性の向上を図ることができる。また，視認可能な文字の大きさに制限されることなく，記録する文書全体の情報量を増やすと共に，紙の文書を保存する際の保存スペースの低減を図ることができる。また，関連情報が媒体用紙上に記録されているため，その他の記録媒体と連結して情報を検索し，取り出すような大掛かりなシステム構成を必要とせず，簡単な構成でシステムを構築できる。さらに関連情報が媒体用紙の裏面に記録されているため，媒体用紙の表面に文書を記録し，媒体用紙の裏面のスペースに関連情報を記録して，関連情報の情報量を飛躍的に多くすることができる。
【００３７】
また、請求項２にかかる発明によれば、前記媒体用紙を前記読取手段に搬送すると共に，前記読取手段が前記媒体用紙の片側の面を読み取った後，前記媒体用紙を反転させて再度前記読取手段に搬送するシート自動搬送手段を備えたため，一つの読取手段で媒体用紙の表面および裏面の読み取りを行うことができ，装置を安価に構成することができると共に，読み取り作業の利便性が向上する。
【００３８】
また、請求項３にかかる発明によれば、前記媒体用紙の裏面に前記関連情報が記録されているか否かを確認する確認手段を備え，前記シート自動搬送手段が，前記確認手段で前記関連情報が確認されなかった場合に，前記読取手段が前記媒体用紙の片側の面を読み取った後，そのまま搬出し，前記確認手段で前記関連情報が確認された場合に，前記読取手段が前記媒体用紙の片側の面を読み取った後，前記媒体用紙を反転させて再度前記読取手段に搬送するため，媒体用紙を全て反転させることなく，必要な媒体用紙だけを反転させることができ，読み取り作業の効率を向上させることができる。
【００３９】
また、請求項４にかかる発明によれば、前記読取手段が，前記媒体用紙の最初に読み取った片面の情報から前記媒体用紙が表面であるか裏面であるかを判定し，裏面である場合には，前記シート自動搬送手段を制御して，前記媒体用紙を反転させて前記媒体用紙の表面を読み取った後，再度前記媒体用紙を反転させて前記媒体用紙の裏面の読み取りを行うため，媒体用紙が正しくセットされていない場合でも，媒体用紙の表面，裏面の順序で正しく読み取ることができる。
【００４０】
また、請求項５にかかる発明によれば、前記読取手段が，前記媒体用紙の表面に記録されている情報を読み取る第１の読取部と，前記媒体用紙の裏面に記録されている情報を読み取る第２の読取部とから構成され，さらに前記媒体用紙を前記第１の読取部に搬送した後，前記第２の読取部に搬送する搬送手段を備えたため，媒体用紙を反転させることなく，高速で情報の読み取りを行うことができる。
【００４１】
また、請求項６にかかる発明によれば、前記関連情報が，前記媒体用紙の表面および裏面の両方に記録されているため，より多くの関連情報を記録することができ，さらに利便性が向上する。
【００４２】
また、請求項７にかかる発明によれば、前記出力手段が，前記関連情報の出力に加えて，前記選択情報によって選択された記載情報を出力するため，出力された関連情報と記載情報との対応関係が明確になり，利便性が向上する。
【００４３】
また、請求項８にかかる発明によれば、前記出力手段と読取手段が別体の装置からなるため，システムの拡張および変更を容易に行うことができる。
【００４４】
また、請求項９にかかる発明によれば、特定の単語，文章，シンボルまたはグラフィックに関連する情報からなる少なくとも一つの関連情報と，単語，文章，シンボル，グラフィックの何れかからなる少なくとも一つの記載情報と，前記記載情報と前記関連情報とを連結させるための連結情報と，前記記載情報の中から特定の記載情報を選択するための選択情報と，が記録された媒体用紙と，前記選択情報，連結情報および関連情報を前記媒体用紙から読み取る読取手段と，前記読取手段で読み取った選択情報および連結情報に基づいて，前記関連情報から該当する関連情報を検索する検索手段と，前記検索手段によって検索した前記該当する関連情報および前記読取手段で読み取った媒体用紙上の画像を出力する出力手段とを備えたため，出力された関連情報と媒体用紙との対応関係が明確になり，利便性が向上する。特に，出力手段で関連情報および媒体用紙上の画像を出力してから時間が経過した場合でも，出力された関連情報の情報源（媒体用紙）を明確に認識することができる。
【００４５】
また、請求項１０にかかる発明によれば、前記出力手段が，前記該当する関連情報と前記媒体用紙の画像とをそれぞれ別の用紙に出力するため，一度に複数の記載情報を指定して複数の関連情報を出力した場合に，少ない用紙枚数で，出力された複数の関連情報の情報源（媒体用紙）を明確に認識することができる。
【００４６】
また、請求項１１にかかる発明によれば、前記検索手段によって検索した前記該当する関連情報および前記読取手段で読み取った媒体用紙上の画像を入力し，前記該当する関連情報と前記媒体用紙上の画像とを合成する合成手段を備え，前記合成手段が，前記該当する関連情報を前記媒体用紙上の画像中の選択情報の近傍に合成し，前記出力手段が，前記合成手段で合成した画像を出力するため，出力された関連情報と記載情報との対応関係がさらに明確になり，利便性が向上する。
【００４７】
また、請求項１２にかかる発明によれば、前記検索手段によって検索した前記該当する関連情報および前記読取手段で読み取った媒体用紙上の画像を入力し，前記該当する関連情報と前記媒体用紙上の画像とを合成する合成手段を備え，前記合成手段が，前記該当する関連情報を前記媒体用紙上の画像中に脚注として合成し，前記出力手段が，前記合成手段で合成した画像を出力するため，出力された関連情報と記載情報との対応関係がさらに明確になり，利便性が向上する。
【００４８】
また、請求項１３にかかる発明によれば、前記検索手段によって検索した前記該当する関連情報および前記読取手段で読み取った媒体用紙上の画像を入力し，前記該当する関連情報と前記媒体用紙上の画像とを合成する合成手段を備え，前記合成手段が，前記該当する関連情報を前記媒体用紙上の画像中の選択された記載情報の直後に合成し，前記出力手段が，前記合成手段で合成した画像を出力するため，出力された関連情報と記載情報との対応関係がさらに明確になり，利便性が向上する。
【００４９】
また、請求項１４にかかる発明によれば、前記関連情報が，１次元バーコードまたは２次元バーコードで記録された情報であり，前記検索手段は，１次元バーコードまたは２次元バーコードで記録された情報を画像データに変換して前記出力手段に出力するため，多くの関連情報を媒体用紙上に記録することができる。
【００５０】
また、請求項１５にかかる発明によれば、前記関連情報が，非可視光で読み取り可能な半透明のインクまたはトナーを用いて記録されているため，媒体用紙の文書としての情報の視認性（読みやすさ）をさらに向上させることができる。また，見かけ上，一般の文書と同様に扱うことができ，不用になった媒体用紙をメモ用紙等に転用することも可能であり，紙資源の有効利用を図ることができる。
【００５１】
また、請求項１６にかかる発明によれば、前記連結情報および関連情報が，１次元バーコードまたは２次元バーコードで記録された情報であるため，多くの連結情報および関連情報を媒体用紙上に記録することができる。
【００５２】
また、請求項１７にかかる発明によれば、前記連結情報および関連情報が，非可視光で読み取り可能な半透明のインクまたはトナーを用いて記録されているため，媒体用紙の文書としての情報の視認性（読みやすさ）をさらに向上させることができる。また，見かけ上，一般の文書と同様に扱うことができ，不用になった媒体用紙をメモ用紙等に転用することも可能であり，紙資源の有効利用を図ることができる。
【００５３】
また、請求項１８にかかる発明によれば、特定の単語，文章，シンボルまたはグラフィックに関連する情報からなる少なくとも一つの関連情報と，単語，文章，シンボル，グラフィックの何れかからなる少なくとも一つの記載情報と，前記記載情報と前記関連情報とを連結させるための連結情報と，前記記載情報の中から特定の記載情報を選択するための選択情報と，が記録された媒体用紙から前記選択情報，連結情報および関連情報を読み取る第１の工程と，読み取った選択情報および連結情報に基づいて，前記関連情報から該当する関連情報を検索する第２の工程と，検索した前記該当する関連情報を出力する第３の工程と，を備え，前記関連情報が前記媒体用紙の裏面に記録されているため，紙の文書を用いたハイパーテキスト（紙ハイパーテキスト）を実現することができ，紙の文書の新たな利用法を提供すると共に，紙の文書の利便性の向上を図ることができる。また，視認可能な文字の大きさに制限されることなく，記録する文書全体の情報量を増やすと共に，紙の文書を保存する際の保存スペースの低減を図ることができる。また，関連情報が媒体用紙上に記録されているため，その他の記録媒体と連結して情報を検索し，取り出すような大掛かりなシステム構成を必要とせず，簡単な構成でシステムを構築できる。さらに関連情報が媒体用紙の裏面に記録されているため，媒体用紙の表面に文書を記録し，媒体用紙の裏面のスペースに関連情報を記録して，関連情報の情報量を飛躍的に多くすることができる。
【００５４】
また、請求項１９にかかる発明によれば、前記関連情報が，前記媒体用紙の表面および裏面の両方に記録されているため，より多くの関連情報を記録することができ，さらに利便性が向上する。
【００５５】
また、請求項２０にかかる発明によれば、特定の単語，文章，シンボルまたはグラフィックに関連する情報からなる少なくとも一つの関連情報と，単語，文章，シンボル，グラフィックの何れかからなる少なくとも一つの記載情報と，前記記載情報と前記関連情報とを連結させるための連結情報と，前記記載情報の中から特定の記載情報を選択するための選択情報と，が記録された媒体用紙から前記選択情報，連結情報および関連情報を読み取る第１の工程と，読み取った選択情報および連結情報に基づいて，前記関連情報から該当する関連情報を検索する第２の工程と，検索した前記該当する関連情報および前記第１の工程で読み取った媒体用紙上の画像を出力する第３の工程とを備えたため，出力された関連情報と媒体用紙との対応関係が明確になり，利便性が向上する。特に，第３の工程で関連情報および媒体用紙上の画像を出力してから時間が経過した場合でも，出力された関連情報の情報源（媒体用紙）を明確に認識することができる。
【００５６】
また、請求項２１にかかる発明によれば、前記該当する関連情報および前記読み取った媒体用紙上の画像を入力し，前記該当する関連情報を前記媒体用紙上の画像中の選択情報の近傍に合成する第４の工程を備え，前記第３の工程において前記第４の工程で合成した画像を出力するため，出力された関連情報と記載情報との対応関係がさらに明確になり，利便性が向上する。
【００５７】
また、請求項２２にかかる発明によれば、前記該当する関連情報および前記読み取った媒体用紙上の画像を入力し，前記該当する関連情報を前記媒体用紙上の画像中に脚注として合成する第４の工程を備え，前記第３の工程において前記第４の工程で合成した画像を出力するため，出力された関連情報と記載情報との対応関係がさらに明確になり，利便性が向上する。
【００５８】
また、請求項２３にかかる発明によれば、前記該当する関連情報および前記読み取った媒体用紙上の画像を入力し，前記該当する関連情報を前記媒体用紙上の画像中の選択された記載情報の直後に合成する第４の工程を備え，前記第３の工程において前記第４の工程で合成した画像を出力するため，出力された関連情報と記載情報との対応関係がさらに明確になり，利便性が向上する。
【００５９】
また、請求項２４にかかる発明によれば、前記媒体用紙に記録されている関連情報が，１次元バーコードまたは２次元バーコードで記録された情報であり，前記第３の工程で出力する関連情報が，１次元バーコードまたは２次元バーコードで記録された情報を画像データに変換したものであるため，多くの関連情報を媒体用紙上に記録することができる。
【００６０】
また、請求項２５にかかる発明によれば、前記連結情報または／および関連情報が，非可視光で読み取り可能な半透明のインクまたはトナーを用いて記録されているため，１次元バーコードまたは２次元バーコードで記録された情報であるため，多くの連結情報および関連情報を媒体用紙上に記録することができる。
【発明を実施するための最良の形態】
【００６１】
以下，本発明の文書情報管理システムおよび文書情報管理方法について，〔本発明の概略構成〕，〔実施例１〕，〔実施例２〕，〔実施例３〕，〔実施例４〕，〔実施例５〕，〔実施例６〕，〔実施例７〕，〔実施例１〜７の変形例〕，〔実施例１〜７による関連情報の出力例〕，〔実施例の効果〕の順で図面を参照して詳細に説明する。
【００６２】
〔本発明の概略構成〕
先ず，本発明の概略構成について，図１〜図６に示す本発明のクレーム対応図を参照して説明する。
【００６３】
図１は，本発明の文書情報管理システムのブロック構成図（本発明の請求項１ないし請求項５のクレーム対応図）を示し，特定の単語，文章，シンボルまたはグラフィックに関連する情報からなる少なくとも一つの関連情報と，単語，文章，シンボル，グラフィックの何れかからなる少なくとも一つの記載情報と，前記記載情報と前記関連情報とを連結させるための連結情報と，前記記載情報の中から特定の記載情報を選択するための選択情報と，が記録された媒体用紙１０１と，前記選択情報，連結情報および関連情報を媒体用紙１０１から読み取る読取手段１０２と，読取手段１０２で読み取った選択情報および連結情報に基づいて，関連情報から該当する関連情報を検索する検索手段１０３と，検索手段１０３によって検索した該当する関連情報を出力する出力手段１０４とから構成される。
【００６４】
図２は，本発明の文書情報管理システムのブロック構成図（本発明の請求項６のクレーム対応図）を示す。基本的には図１のブロック構成図と同様であるが，前記関連情報が媒体用紙１０１の裏面に記録されているものである。
【００６５】
図３は，本発明の文書情報管理システムのブロック構成図（本発明の請求項７のクレーム対応図）を示す。基本的には図１のブロック構成図と同様であるが，媒体用紙１０１を読取手段１０２に搬送すると共に，読取手段１０２が媒体用紙１０１の片側の面を読み取った後，媒体用紙１０１を反転させて再度，読取手段１０２に搬送するシート自動搬送手段１０５を備えている。
【００６６】
図４は，本発明の文書情報管理システムのブロック構成図（本発明の請求項８のクレーム対応図）を示す。基本的には図１のブロック構成図と同様であるが，媒体用紙１０１を読取手段１０２に搬送すると共に，読取手段１０２が媒体用紙１０１の片側の面を読み取った後，媒体用紙１０１を反転させて再度，読取手段１０２に搬送するシート自動搬送手段１０５と，媒体用紙１０１の裏面に関連情報が記録されているか否かを確認する確認手段１０６とを備え，シート自動搬送手段１０５は，確認手段１０６で関連情報が確認されなかった場合に，読取手段１０２が媒体用紙１０１の片側の面を読み取った後，そのまま搬出し，確認手段１０６で関連情報が確認された場合に，読取手段１０２が媒体用紙１０１の片側の面を読み取った後，媒体用紙１０１を反転させて再度，読取手段１０２に搬送する構成としたものである。なお，確認手段１０６と読取手段１０２は同一の装置でも，それぞれ異なる装置でも良い。
【００６７】
図５は，本発明の文書情報管理システムのブロック構成図（本発明の請求項１６ないし請求項１８のクレーム対応図）を示し，基本的には図１のブロック構成図と同様であるが，検索手段１０３によって検索した該当する関連情報および読取手段１０２で読み取った媒体用紙１０１上の画像を入力し，該当する関連情報と媒体用紙１０１上の画像とを合成する合成手段１０７を備え，出力手段１０４が，合成手段１０７で合成した画像を出力するものである。このとき，合成手段１０７は，該当する関連情報を媒体用紙１０１上の画像中の選択情報の近傍に合成するか，該当する関連情報を媒体用紙１０１上の画像中に脚注として合成するか，または該当する関連情報を媒体用紙１０１上の画像中の選択された記載情報の直後に合成する。
【００６８】
図６は，本発明の文書情報管理システムのブロック構成図（本発明の請求項１９のクレーム対応図）を示し，基本的には図１のブロック構成図と同様であるが，読み取りの対象となる用紙が媒体用紙１０１であるか否かを確認する媒体用紙確認手段１０８を備え，読取手段１０２は，媒体用紙確認手段１０８で媒体用紙であると確認された場合に，選択情報，連結情報および関連情報を媒体用紙１０１から読み取るものである。なお，媒体用紙確認手段１０８と読取手段１０２が同一の装置で構成されても良く。それぞれ別の装置で構成されても良い。
【００６９】
なお，前述した関連情報は，特定の単語，文章，シンボルまたはグラフィックに関連する情報であるが，このときの特定の単語，文章，シンボルまたはグラフィックが，媒体用紙１０１の記載情報として使用可能な単語，文章，シンボルまたはグラフィックとなる。換言すれば，媒体用紙１０１の記載情報として使用可能な単語，文章，シンボルまたはグラフィックに関連する情報が関連情報として記録されていることになる。また，関連情報を１次元バーコードまたは２次元バーコードで記録された情報として，検索手段１０３が１次元バーコードまたは２次元バーコードで記録された情報を画像データに変換して出力手段１０４に出力するようにしても良い。
【００７０】
また，媒体用紙１０１上の記載情報（単語，文章，シンボル，グラフィックの何れかからなる情報）は，媒体用紙１０１の任意の位置に記録されており，連結情報を用いてこの任意の位置に記録されている記載情報と関連情報とを連結させ，さらに，選択情報を用いてこの任意位置に記憶されている記載情報の中から特定の記載情報を選択する構成である。
【００７１】
換言すれば，連結情報は，媒体用紙１０１上におけるそれぞれの記載情報の記載位置情報と，該記載位置情報と関連情報とを対応させるためのアドレス情報とから構成されているか，または，媒体用紙１０１上におけるそれぞれの記載情報の記載位置情報と，該記載位置情報の位置に記載された記載情報を認識するための記載認識情報とから構成されており，前記記載位置情報を特定することによって対応する関連情報が検索可能な情報構成となっている。
【００７２】
したがって，選択情報によって特定の記載情報を選択すると，該当する記載情報の記載位置情報から対応する関連情報が検索可能となる。
【００７３】
このようにして，媒体用紙１０１上の任意の位置に記録した記載情報から，媒体用紙１０１上に記録してある関連情報を検索し，出力することができる。
【００７４】
また，ディスプレイ装置，マウス，キーボード等を用いることなく，媒体用紙１０１を用いたハイパーテキスト（紙ハイパーテキスト）を実現することができる。なお，ここで紙ハイパーテキストとは，紙の文書をハイパーテキストの文書として扱い，紙の文書を用いてハイパーテキストを実現する概念として定義する。また，媒体用紙１０１を用いて紙ハイパーテキストを実現する場合には，前記関連情報が，特定の単語，文章，シンボル，グラフィックに関連する情報として，単語，文章，シンボル，グラフィックの何れかからなる少なくとも一つの記載情報および該記載情報と他の関連情報とを連結させるための連結情報を含むことが望ましい。
【００７５】
本発明の文書情報管理システムおよび文書情報管理方法は，前述したよう媒体用紙１０１を用いた紙ハイパーテキストを実現することができる。
【００７６】
したがって，Ｐａｐｅｒ（紙：媒体用紙１０１）を用いたＵｓｅｒ（人）とコンピューターとのＩｎｔａｒａｃｔｉｏｎ（情報伝達，相互インターフェース）を実現するシステムおよび方法として，以下，本発明の文書情報管理システムおよび文書情報管理方法をＰＵＩ（Ｐａｐｅｒ  Ｕｓｅｒ  Ｉｎｔａｒａｃｔｉｏｎ）と記載する。
【００７７】
また，ＰＵＩにおいて，媒体用紙１０１をＩｎｐｅｒ（Ｉｎｔｅｒａｃｔ  Ｐａｐｅｒ）と定義し，Ｉｎｐｅｒ内に記録されている記載情報をＤｉｃｏｎ（Ｄｏｃｕｍｅｎｔ  ｉｃｏｎ）と定義する。
【００７８】
さらに，前述したように，紙の文書をハイパーテキストの文書として扱い，紙の文書を用いてハイパーテキストを実現する概念を，紙ハイパーテキストとして定義した。したがって，ＰＵＩのＩｎｐｅｒは紙ハイパーテキストの概念におけるハイパーテキストの文書そのものであり，Ｉｎｐｅｒ内のＤｉｃｏｎは紙に印刷されたスイッチ（一般的なハイパーテキストのボタンやアイコン等に相当する）である。
【００７９】
〔実施例１〕
以下，実施例１のＰＵＩ（文書情報管理システムおよび文書情報管理方法）について，
（１）Ｉｎｐｅｒ（媒体用紙１０１）の構成
（２）実施例１のハード構成
（３）Ｄｉｃｏｎ（記載情報）の役割
（４）選択情報の具体例
（５）連結情報の構成
（６）Ｉｎｐｅｒが持たなければならない関連情報
（７）コードエリアのその他の管理情報
（８）実施例１の概略動作
の順で，詳細に説明する。
【００８０】
（１）Ｉｎｐｅｒ（媒体用紙１０１）の構成
図７（ａ），（ｂ）は，実施例１のＰＵＩのＩｎｐｅｒ（媒体用紙１０１）の構成を示す。なお，Ｉｎｐｅｒは，特定の単語，文章，シンボルまたはグラフィックに関連する情報からなる少なくとも一つの関連情報と，単語，文章，シンボル，グラフィックの何れかからなる少なくとも一つの記載情報であるＤｉｃｏｎと，Ｄｉｃｏｎと関連情報とを連結させるための連結情報と，Ｄｉｃｏｎの中から特定のＤｉｃｏｎを選択するための選択情報が記録された紙（用紙）である。ただし，関連情報，記載情報および連結情報はあらかじめＩｎｐｅｒに記録されているが，選択情報はユーザーが任意に書き込む（マークする）ことにより，Ｉｎｐｅｒ上に記録されるものとする。
【００８１】
図７（ａ）に示すように，媒体用紙１０１であるＩｎｐｅｒ２０１には，単語および文章がテキストＤｉｃｏｎ２０２として記録されており，書類を示すアイコン（シンボル）がシンボルＤｉｃｏｎ２０３として記録されており，コンピューター図形がグラフィックＤｉｃｏｎ２０４として記録されており，単語および短い文書がタイトルＤｉｃｏｎ２０５として記録されている。また，関連情報および連結情報は，２次元バーコードのように光学的に読み取り可能な形式でコードエリア２０６内に記録されている。なお，２０７はユーザーがＩｎｐｅｒ２０１の識別を行うためのＩｎｐｅｒ  ＩＤであり，２０８はユーザーがＩｎｐｅｒ２０１の所有者（Ｏｗｎｅｒ）を確認できるように文字で示したＯｗｎｅｒ  ＩＤである。
【００８２】
なお，上記記載情報であるＤｉｃｏｎ（２０２〜２０５）は，一つのＩｎｐｅｒ２０１内に全て記録されている必要はなく，少なくとも何れか一つが記載されていれば良い。例えば，図７（ｂ）に示すように，Ｄｉｃｏｎとして，テキストＤｉｃｏｎ２０２と，グラフィックＤｉｃｏｎ２０４とが記録されているＩｎｐｅｒ２０１でも良い。
【００８３】
図示の如く，Ｉｎｐｅｒ２０１は，見かけ上において，記録紙に出力された通常の文書と同一である。したがって，Ｉｎｐｅｒ２０１を通常の書類として利用できるのは勿論である。
【００８４】
（２）実施例１のハード構成
次に，図８を参照して，実施例１のＰＵＩのハード構成を示す。実施例１のＰＵＩは，読取手段１０２であるイメージスキャナー８０１と，検索手段１０３および合成手段１０７の役割を果たすパーソナルコンピューター８０２と，出力手段１０４であるプリンター８０３とから構成される。
【００８５】
ここで，イメージスキャナー８０１は，選択情報，連結情報および関連情報を読み取れる解像度を有しておれば良く，例えば，コードエリア２０６の２次元バーコードの方式によって異なるが，３００ｄｐｉ〜４００ｄｐｉ程度あれば十分である。また，検索手段１０３として用いられるパーソナルコンピューター８０２は，原則としてキーボードや，ディスプレイが不要である。
【００８６】
実施例１のハード構成例によれば，各手段として既存のデバイスを使用するので低コストにシステムを構築することができる。また，パーソナルコンピューターを使用するのでソフトウェアのインストールが容易である。さらにスキャナーで読み取ったＩｎｐｅｒの情報の認識や，関連情報の検索をソフトウェアで行うので，システムのレベルアップ等の変更が容易である。
【００８７】
（３）Ｄｉｃｏｎ（記載情報）の役割
ここで，Ｉｎｐｅｒ２０１に記録されたＤｉｃｏｎの役割について詳細に説明する。
【００８８】
図９に示すように，Ｉｎｐｅｒ２０１に記録されているＤｉｃｏｎ（２０２〜２０５）は，コードエリア２０６内の連結情報を介して関連情報とリンク（連結）されている。したがって，Ｉｎｐｅｒ２０１上に記録されている複数のＤｉｃｏｎの中から所望のＤｉｃｏｎを選択すると，選択されたＤｉｃｏｎにリンクされている関連情報を特定することができる。
【００８９】
すなわち，Ｄｉｃｏｎは，Ｉｎｐｅｒ２０１上に記録された視覚的な情報としての役割と共に，関連情報を選択するためのスイッチの役割を果たすものである。換言すれば，概念的に，ハイパーテキスト上のボタンやアイコンと同様にスイッチの役割を果たすものであると定義できる。
【００９０】
次に，Ｄｉｃｏｎの種類について説明する。Ｄｉｃｏｎは，図７（ａ）に示したようにテキストＤｉｃｏｎ２０２，シンボルＤｉｃｏｎ２０３，グラフィックＤｉｃｏｎ２０４，タイトルＤｉｃｏｎ２０５の４種類からなり，それぞれのＤｉｃｏｎを以下のように定義する。
【００９１】
テキストＤｉｃｏｎ  ：
ハイパーテキスト形式の文章の中の単語や短い文章の形式で書かれたＤｉｃｏｎ。
シンボルＤｉｃｏｎ  ：
長い文章の最後に付加したり，Ｉｎｐｅｒの内容全体に対して付加するアイコン形式のＤｉｃｏｎ。
グラフィックＤｉｃｏｎ  ：
詳細なイラスト・写真・図面等からなる関連情報にリンクしてある大まかなイラスト・写真形式のＤｉｃｏｎ。
タイトルＤｉｃｏｎ  ：
該当するＤｉｃｏｎのリンクしている関連情報のタイトルが目次・リスト等の形式で書かれている。
【００９２】
次に，Ｄｉｃｏｎの標記方法について説明する。ユーザーがＩｎｐｅｒ上のＤｉｃｏｎを確実かつ容易に認識するためには，ＤｉｃｏｎとＤｉｃｏｎ以外の情報とが視覚的に区別できる必要がある。したがって，本発明では，Ｄｉｃｏｎを以下のように装飾することにより可視化する。
【００９３】
テキストＤｉｃｏｎ２０２の装飾は，図７（ａ）に示すように，背景色を付ける方法や，フォントの字体を換える方法（例えば，明朝体→ゴシック体等），書体を換える方法（例えば，イタリック体，ボルト体，アンダーラインの付加等），文字の色を換える方法（例えば，黒色→青色），枠で囲む方法等を適用することができる。
【００９４】
また，タイトルＤｉｃｏｎ２０５，グラフィックＤｉｃｏｎ２０４の装飾は，図７（ａ）に示すように，枠で囲む方法，背景色を付ける方法が適用できる。
【００９５】
また，シンボルＤｉｃｏｎ２０３は，それ自体でＤｉｃｏｎであることが明確であるので，装飾不要である。ただし，装飾を施しても良いのは勿論である。
【００９６】
一方，Ｉｎｐｅｒ上にＤｉｃｏｎが非常に多く配置されている場合にＤｉｃｏｎに装飾を施すと，Ｉｎｐｅｒの文書が繁雑になるためＤｉｃｏｎを非可視化することも可能である。ただし，この場合にはＩｎｐｅｒ上のＤｉｃｏｎを認識できないので，Ｄｉｃｏｎの選択においてユーザーがＤｉｃｏｎ以外の単語等を選択する場合がある。したがって，Ｄｉｃｏｎ以外が選択されたときに，その旨のメッセージ等を出力手段１０４を介して出力する構成とする必要がある。
【００９７】
（４）選択情報の具体例
選択情報は，Ｉｎｐｅｒ上に記載されたＤｉｃｏｎの中から特定のＤｉｃｏｎを選択するための情報である。例えば，加筆（マーキング）されたマークを選択情報として用いることができる。加筆（マーキング）は，読取手段１０２で光学的に読み取れるものであればどのような用具を使っても良く，一般的には，サインペン等のマーカーが使用される。
【００９８】
このとき，マーカーの色をあらかじめ特定し，イメージスキャナー８０１（読取手段１０２）としてカラースキャナーを使用すると高い認識率が得られる。
【００９９】
図１０（ａ），（ｂ），（ｃ）は選択情報の加筆（マーキング）の例を示す。図示の如く，選択情報の形状は特に限定するものでなく，同図（ａ）のように選択するＤｉｃｏｎをマーカーで囲む方法や，同図（ｂ）のように選択するＤｉｃｏｎをマーカーで塗りつぶす方法や，同図（ｃ）のようにマーカーで印（ここではレ印）を付ける方法等を適用できる。
【０１００】
（５）連結情報の構成
連結情報は，前述したようにコードエリア２０６に２次元バーコードとして記載されており，Ｄｉｃｏｎと関連情報とを連結させるための情報である。
【０１０１】
また，連結情報は，例えば，Ｉｎｐｅｒ上におけるそれぞれのＤｉｃｏｎの記載位置情報と，該記載位置情報と関連情報とを対応させるためのアドレス情報とから構成されているか，または，Ｉｎｐｅｒ上におけるそれぞれのＤｉｃｏｎの記載位置情報と，該記載位置情報の位置に記載された記載情報を認識するための記載認識情報とから構成されている。
【０１０２】
ここで，図１１を参照して，連結情報の一部である記載位置情報について説明する。記載位置情報はＩｎｐｅｒ上におけるそれぞれのＤｉｃｏｎの位置を特定するための情報であり，例えば，図示の如く，Ｉｎｐｅｒの座標と対応させたマップを用いて，マップ上におけるＤｉｃｏｎの位置および範囲と，各Ｄｉｃｏｎがマップに出現する順番で番号を付したＤｉｃｏｎ番号とからなる情報で構成することができる。
【０１０３】
図１２は，この記載位置情報とアドレス情報とで連結情報（連結情報テーブル）を構成した例を示す。該連結情報テーブルから明らかなように，記載位置情報が特定されると，対応する関連情報のアドレスが特定される。すなわち，図１０で示したように選択情報でＤｉｃｏｎを選択すると，該選択情報の座標位置から図１１のマップ上の座標位置が特定され，特定された座標位置の記載位置情報（Ｄｉｃｏｎ番号）によって，Ｄｉｃｏｎと対応する関連情報の検索が可能とする。したがって，連結情報でＤｉｃｏｎと関連情報の連結を行うことができる。
【０１０４】
図１３（ａ）は，記載位置情報と記載認識情報とで連結情報（連結情報テーブル）を構成した例を示す。ここで，記載認識情報は，各記載位置情報の位置に記載されたＤｉｃｏｎを認識するための情報であり，例えば，あらかじめ各Ｄｉｃｏｎ毎にＤｉｃｏｎ  ＩＤを付して，このＤｉｃｏｎ  ＩＤを用いることができる。該連結情報テーブルから明らかなように，記載位置情報が特定されると，対応する記載認識情報（Ｄｉｃｏｎ  ＩＤ）が特定される。すなわち，図１０で示したように選択情報でＤｉｃｏｎを選択すると，該選択情報の座標位置から図１１のマップ上の座標位置が特定され，特定された座標位置の記載位置情報（Ｄｉｃｏｎ番号）によって，対応する記載認識情報（Ｄｉｃｏｎ  ＩＤ）を特定することができる。
【０１０５】
この場合には，連結情報として，さらに図１３（ｂ）に示すようなアドレス変換テーブルを設ける必要がある。これによってＤｉｃｏｎ  ＩＤから対応する関連情報を検索することができる。換言すれば，連結情報でＤｉｃｏｎと関連情報の連結を行うことができる。また，図１３（ｂ）のアドレス変換テーブル（すなわち，連結情報の一部）をコードエリア２０６から分離して（換言すれば，Ｉｎｐｅｒ２０１から分離して），パーソナルコンピューター８０２側に配置することも可能である。これによって，図１３（ａ）の連結情報テーブルと図１３（ｂ）のアドレス変換テーブルでよってコードエリア２０６とパーソナルコンピューター８０２とを連続したアドレス空間として取り扱うことが可能となる。したがって，大きな容量の関連情報や，高度なセキュリティを必要とする関連情報をパーソナルコンピューター８０２側に配置して，セキュリティ管理を行うことも可能となる。
【０１０６】
上記図１２および図１３の連結情報テーブルから明らかなように，図１２の連結情報（連結情報テーブル）は，記載位置情報（換言すれば，Ｄｉｃｏｎ）とアドレス情報（換言すれば，関連情報）が１対１でリンクされており，連結情報テーブル自体がアドレス変換テーブルの役割を果しているので，Ｉｎｐｅｒ上にＤｉｃｏｎを作成してから関連情報を作成する場合に適している。
【０１０７】
一方，図１３の連結情報において，連結情報テーブルは，記載位置情報（換言すれば，Ｄｉｃｏｎ）と記載認識情報（Ｄｉｃｏｎ  ＩＤ）を１対１でリンクしているだけであり，記載認識情報と関連情報とのリンクは，アドレス変換テーブルで行っているので，例えば，記載認識情報をシステム全体で普遍（共通）の情報として定義することが可能であり，例えば，１つのアドレス変換テーブルを設定するだけで，Ｄｉｃｏｎと関連情報とを連結することが可能である。
【０１０８】
したがって，例えば，アドレス変換テーブルと連結情報とからなるコードエリアのみを記録した紙を関連情報専用紙として作成し，コードエリア２０６に図１３（ａ）の連結情報テーブルのみを記録した複数のＩｎｐｅｒ２０１から，同時に参照することもでき，システムの拡張性および管理性が高く，大規模システムの構築に適している。
【０１０９】
さらに必要に応じて，図１１に示すように，Ｉｎｐｅｒ上にＤｉｃｏｎ設定可能領域を指定することにより，コードエリア２０６内の連結情報のデータ量を少なくすることができる。特に，Ｉｎｐｅｒ上におけるＤｉｃｏｎの配置に片寄りがある場合には有効である。
【０１１０】
なお，前述した連結情報（図１２および図１３）では，最終的にＤｉｃｏｎと関連情報が１対１（１：１）で対応する場合を示したが，特にこれに限定するものではなく，例えば，Ｄｉｃｏｎと関連情報との対応関係は，１対多数（１：ｎ）や，多数対１（ｎ：１）が存在するのは勿論である。
【０１１１】
（６）Ｉｎｐｅｒが持たなければならない関連情報
次に，Ｉｎｐｅｒ２０１が持たなければならない関連情報について説明する。Ｉｎｐｅｒ２０１には複数のＤｉｃｏｎが記録されるので，コードエリア２０６には連結情報のみでなく，Ｄｉｃｏｎと対応する関連情報（ｎ：１の場合には，少なくとも一つの関連情報）が記録される。
【０１１２】
先ず，コードエリア２０６に記録可能な関連情報の容量について，概略を述べる。通常，英文テキストの１ページ（Ａ４用紙）は，約３２００キャラクターからなり，８ｂｉｔコードで換算するとその容量は３ＫＢとなる。
【０１１３】
一方，１ページ（Ａ４用紙）分の面積に，全てキャラクターを配置した場合，８ｂｉｔコードで換算するとその容量は１５ＫＢとなる。
【０１１４】
さらに，英文テキストの１ページの容量を３ＫＢとして，これを情報圧縮技術を用いて平均１／９の情報量に圧縮した場合，１ページ（Ａ４用紙）に４５ページ分の英文テキストを記録することができる。
【０１１５】
ここで，図７に示したコードエリア２０６の大きさを１ページの１／４とするとコードエリア２０６の容量は３．７５（１５ＫＢ／４）ＫＢで，連結情報やその他の管理情報に０．７５ＫＢを割り当てても，関連情報のために３ＫＢ使用することができる。
【０１１６】
関連情報は，平均すると１ページ以下であると予想されるので，関連情報として９件分以上，記録することができる。
【０１１７】
なお，日本語テキストは１６ｂｉｔコードであるが，１ページ当たりのキャラクターは英文テキストの約半分であるので，使用可能な関連情報のページ数としては大差ない。
【０１１８】
通常，Ｉｎｐｅｒ２０１には，多様なフォントや，グラフィックが用いられるが，関連情報はその一部の詳細な説明であるのでプレーンテキストが多く用いられると予想される。したがって，本発明のようにコードエリア２０６に関連情報を記録する方法は実用的である。
【０１１９】
次に，図１４（ａ），（ｂ）を参照して，Ｉｎｐｅｒ２０１が持たなければならない関連情報について説明する。関連情報がすべて通常のテキストの場合には，同図（ａ）に示すように，コードエリア２０６内の関連情報としては，Ｉｎｐｅｒ２０１に記載されたＤｉｃｏｎに対応するだけの関連情報（例えば，関連情報１１〜１９）を持つ必要がある。ところが，関連情報自体がＩｎｐｅｒ（媒体用紙１０１）としての情報を有する場合には，Ｉｎｐｅｒである関連情報内にもＤｉｃｏｎが存在し，そのＤｉｃｏｎに対応するだけの関連情報が存在することになる。したがって，関連情報自体がＩｎｐｅｒ（媒体用紙１０１）である場合には，同図（ｂ）に示すように，Ｉｎｐｅｒ２０１のコードエリア２０６内に，関連情報（媒体用紙）１１および関連情報（媒体用紙）１２の入れ子となっている関連情報１１１，１１２〜１２１，１２２等も関連情報として持つ必要がある。
【０１２０】
したがって，このような場合には，関連情報（媒体用紙）中のＤｉｃｏｎと対応する関連情報をパーソナルコンピューター８０２側に持たせたり，Ｉｎｐｅｒ２０１の裏面を全面コードエリア（詳細は後述するが，裏面コードエリア３０２）としたり，あるいはＩｎｐｅｒ２０１を複数枚で構成し，２枚目以降を関連情報専用紙として両面コードエリアにする。
【０１２１】
（７）コードエリアのその他の管理情報
コードエリア２０６に記録するその他の管理情報として，例えば，ユーザーＩＤ，パスワード等を記録しておけば，パーソナルコンピューター８０２側のディスプレイとキーボードとを使用して，ユーザーＩＤ，パスワードによるセキュリィテ管理が可能である。
（８）実施例１の概略動作
以上の構成において，その概略動作を説明する。先ず，第１の工程で，Ｉｎｐｅｒ２０１をイメージスキャナー８０１に載置して，イメージスキャナー８０１でＩｎｐｅｒ２０１の選択情報，連結情報および関連情報を読み取る。
【０１２２】
次に，第の２工程で，パーソナルコンピューター８０２が，読み取った選択情報および連結情報に基づいて，コードエリア２０６内の関連情報から該当する関連情報を検索し，２次元バーコードで記録されている該当する関連情報の内容を画像データ（イメージデータ）に変換して，プリンター８０３に転送する。
【０１２３】
第３の工程で，プリンター８０３が，パーソナルコンピューター８０２から送られてきた該当する関連情報（イメージデータ）を記録紙に出力する。また，記録紙の出力に代えて，出力手段１０４としてパーソナルコンピューター８０２のディスプレイを使用して，関連情報をディスプレイに画面表示することも可能である。
【０１２４】
なお，プリンター８０３で出力した関連情報に出力例については，後述する〔実施例１〜７による関連情報の出力例〕で詳細に説明する。
【０１２５】
〔実施例２〕
実施例２は，Ｉｎｐｅｒ（媒体用紙１０１）の裏面にコードエリアを設けて関連情報を記録すると共に，読取手段１０２およびシート自動搬送手段１０５としての役割を果たす反転両面ＡＤＦスキャナーを用いるものである。なお，基本的には実施例１と同様であるため，ここでは異なる部分のみを説明する。
【０１２６】
図１５は，実施例２の媒体用紙１０１であるＩｎｐｅｒ３０１の構成を示し，実施例２のＩｎｐｅｒ３０１は，その裏面に裏面コードエリア３０２が設けられており，該裏面コードエリア３０２に関連情報を記録し，表面のコードエリア２０６には，連結情報とその他の管理情報を記録するようにしたものである。なお，表面のコードエリア２０６に容量の余裕がある場合には，コードエリア２０６と裏面コードエリア３０２の両方に関連情報を記録しても良い。
【０１２７】
図１６は，実施例２のＰＵＩのハード構成を示す。実施例２のＰＵＩは，読取手段１０２およびシート自動搬送手段１０５である反転両面ＡＤＦスキャナー１６０１と，検索手段１０３および合成手段１０７の役割を果たすパーソナルコンピューター８０２と，出力手段１０４であるプリンター８０３とから構成される。
【０１２８】
反転両面ＡＤＦスキャナー１６０１は，載置部に載置されたＩｎｐｅｒ３０１を自動搬送して，イメージセンサー１６０２（読取手段１０２に相当する）でＩｎｐｅｒ３０１の片側の面を読み取った後，反転ガイド１６０３および反転ローラ１６０４でＩｎｐｅｒ３０１を反転させて再度イメージセンサー１６０２の位置に搬送し，イメージセンサー１６０２で他方の片側の面の読み取りを行うものである。
【０１２９】
実施例２によれば，Ｉｎｐｅｒ３０１の裏面に裏面コードエリア３０２が設けられており，該裏面コードエリア３０２に関連情報を記録するので，実施例１と比較して，多くの関連情報または容量の大きな関連情報の記録を行うことが可能である。したがって，関連情報自体が媒体用紙としての構成を有する場合にも，該関連情報（媒体用紙）中のＤｉｃｏｎと対応する関連情報を同時に記録することも可能であり，さらにＩｎｐｅｒ３０１を用いたＰＵＩ（文書情報管理システムおよび文書情報管理方法）の利便性が向上する。
【０１３０】
また，反転両面ＡＤＦスキャナー１６０１によって，Ｉｎｐｅｒ３０１の両面の情報が自動的に読み取られるので，Ｉｎｐｅｒ３０１の読み取り時の作業性および操作性が良い。
【０１３１】
〔実施例３〕
実施例３は，図１６に示した実施例２と同様の構成において，Ｉｎｐｅｒ（媒体用紙）にＩｎｐｅｒであることを示すＩｎｐｅｒ識別コードを設けると共に，反転両面ＡＤＦスキャナー１６０１に媒体用紙確認手段１０８の役割を持たせて，読み取りの対象となる用紙がＩｎｐｅｒ３０１であるか否かを確認できるようにしたものである。
【０１３２】
図１７は，実施例３の媒体用紙１０１であるＩｎｐｅｒ３０１の構成を示す。実施例３のＩｎｐｅｒ３０１は，実施例２のＩｎｐｅｒ３０１の両面にＩｎｐｅｒ３０１であることを示すＩｎｐｅｒ識別コード１７０１を設けたものである。なお，Ｉｎｐｅｒ識別コード１７０１は，コードエリア２０６・裏面コードエリア３０２と同様に，２次元バーコードで記録されているものとする。
【０１３３】
実施例３によれば，Ｉｎｐｅｒ３０１の両面の先端部分に配置されたＩｎｐｅｒ識別コード１７０１を，反転両面ＡＤＦスキャナー１６０１で読み取り，用紙がＩｎｐｅｒ３０１であるか否かを確認できるので，用紙がＩｎｐｅｒ３０１である場合にのみ，選択情報，連結情報および関連情報を対象となる用紙（Ｉｎｐｅｒ３０１）から読み取ることができる。したがって，システム全体の処理効率が向上する。また，Ｉｎｐｅｒ２０１と一般の文書が混在した場合でも，誤動作なく，Ｉｎｐｅｒ２０１から関連情報を確実に取り出すことができる。さらに読取手段１０２（ここでは，反転両面ＡＤＦスキャナー１６０１）側で不要な反転処理を行わずに済む。
【０１３４】
また，実施例３では，媒体用紙確認手段１０８と読取手段１０２とが同一の装置（図１６のイメージセンサー１６０２）で構成されているが，特にこれに限定するものでなく，別々の装置で構成しても良いのは勿論である。
【０１３５】
〔実施例４〕
実施例４は，実施例３と同様の構成において，Ｉｎｐｅｒ３０１のＩｎｐｅｒ識別コード１７０１に用紙の表面・裏面の情報を付加したものである。これによって，読み取りの対象となる用紙がＩｎｐｅｒ３０１であるか否かを確認できると共に，用紙の裏表面を同時に確認することができる。
【０１３６】
図１６の反転両面ＡＤＦスキャナー１６０１（媒体用紙確認手段１０８および読取手段１０２）は，Ｉｎｐｅｒ３０１の最初に読み取ったＩｎｐｅｒ識別コード１７０１の情報からＩｎｐｅｒ３０１が表面であるか裏面であるかを判定し，裏面である場合には，Ｉｎｐｅｒ３０１を反転させてＩｎｐｅｒ３０１の表面を読み取った後，再度Ｉｎｐｅｒ３０１を反転させてＩｎｐｅｒ３０１の裏面の読み取りを行う。
【０１３７】
実施例４によれば，読み取りの対象となる用紙がＩｎｐｅｒ３０１であるか否かを確認できると共に，用紙の裏表面を同時に確認するので，表面の選択情報および連結情報を読み取った後，選択情報および連結情報に基づいて，裏面の関連情報を効率良く読み取ることができる。
【０１３８】
〔実施例５〕
図１８は，実施例５のＰＵＩのハード構成を示す。実施例５のＰＵＩは，図１６で示した実施例２の構成に加えて，Ｉｎｐｅｒの裏面に関連情報が記録されているか否かを確認する確認手段１０６であるイメージセンサー１６０５を追加したものである。
【０１３９】
実施例５において，反転両面ＡＤＦスキャナー１６０１は，載置部に載置されたＩｎｐｅｒ２０１，３０１を自動搬送して，イメージセンサー１６０２（読取手段１０２に相当する）でＩｎｐｅｒ３０１の片側の面（表面）を読み取り，同時にイメージセンサー１６０５（確認手段）でＩｎｐｅｒ２０１，３０１の他の片側の面（裏面）を読み取り，裏面に関連情報が記録されているか否かを確認する。ここで，裏面に関連情報が確認されなかった場合には，イメージセンサー１６０２による読み取りの終了を待って，Ｉｎｐｅｒ２０１（裏面に関連情報がないので，Ｉｎｐｅｒ２０１である）をそのまま搬出する。一方，裏面に関連情報が確認された場合には，イメージセンサー１６０２でＩｎｐｅｒ３０１（裏面に関連情報があるので，Ｉｎｐｅｒ３０１である）の片側の面を読み取った後，反転ガイド１６０３および反転ローラ１６０４でＩｎｐｅｒ３０１を反転させて再度イメージセンサー１６０２の位置に搬送し，イメージセンサー１６０２で他方の片側の面の読み取りを行うものである。
【０１４０】
実施例５によれば，Ｉｎｐｅｒの裏面に関連情報があるか否か，換言すれば，Ｉｎｐｅｒ２０１であるか，Ｉｎｐｅｒ３０１であるかを確認するので，Ｉｎｐｅｒ２０１，３０１の搬送を効率的に行うことができる。また，あらかじめＩｎｐｅｒの種類を限定することなく，Ｉｎｐｅｒ２０１，３０１を混在した形式で使用することができる。
【０１４１】
〔実施例６〕
実施例６は，読取手段１０２で同時にＩｎｐｅｒ３０１の両面を読み取るようにしたものである。
【０１４２】
図１９は，実施例６のＰＵＩのハード構成を示す。実施例６のＰＵＩは，読取手段１０２であるイメージスキャナー１９０１と，検索手段１０３および合成手段１０７の役割を果たすパーソナルコンピューター８０２と，出力手段１０４であるプリンター８０３とから構成される。
【０１４３】
イメージスキャナー１９０１は，Ｉｎｐｅｒ３０１の表面に記録されている情報を読み取る第１の読取部としての第１イメージセンサー１９０２と，Ｉｎｐｅｒ３０１の裏面に記録されている情報を読み取る第２の読取部としての第２イメージセンサー１９０３とを備えており，Ｉｎｐｅｒ３０１を反転させることなく，１回の搬送でＩｎｐｅｒ３０１の両面の情報を読み取るものである。
【０１４４】
実施例６によれば，イメージスキャナー１９０１で同時にＩｎｐｅｒ３０１の両面の情報を読み取るので作業効率が良い。換言すれば，読み取り時間の短縮を図ることができる。
【０１４５】
〔実施例７〕
図２０は，実施例７の媒体用紙１０１であるＩｎｐｅｒ４０１の構成を示す。実施例７のＩｎｐｅｒ４０１は，コードエリア（コードエリア２０６および裏面コードエリア３０２）を全てＩｎｐｅｒ４０１の裏面に配置して，コードエリア４０２としたものである。また，表面には，Ｉｎｐｅｒ識別コード１７０１が設けられている。
【０１４６】
図２１は，実施例７のＰＵＩのハード構成を示す。実施例７のＰＵＩは，読取手段１０２であるイメージスキャナー２１０１と，検索手段１０３および合成手段１０７の役割を果たすパーソナルコンピューター８０２と，出力手段１０４であるプリンター８０３とから構成される。
【０１４７】
ここで，イメージスキャナー２１０１は，選択情報，連結情報および関連情報を読み取とるためのイメージセンサー２１０２と，Ｉｎｐｅｒ識別コード１７０１のみを読み取るＩｎｐｅｒ識別コードイメージセンサー２１０３とを有している。
【０１４８】
Ｉｎｐｅｒ識別コードイメージセンサー２１０３は，Ｉｎｐｅｒ識別コード１７０１のみを読み取るので，イメージセンサー２１０２と比較して小型のイメージセンサーを使用することができる。
【０１４９】
〔実施例１〜７の変形例〕
前述した実施例１〜７のＩｎｐｅｒ２０１，３０１，４０１において，コードエリア２０６，裏面コードエリア３０２，コードエリア４０２およびＩｎｐｅｒ識別コード１７０１は，２次元バーコードで，かつ，ユーザーが視覚的に容易に見ることができる状態で記録されているが，図２２〜図２５に示すように，これらのコードエリアの情報（連結情報，関連情報およびその他の情報）を，例えば，紫外線または赤外線等の非可視光で読み取り可能な半透明のインクまたはトナーを用いて記録することにより，Ｉｎｐｅｒの文書としての情報の視認性（読みやすさ）をさらに向上させることができる。また，見かけ上，一般の文書と同様に扱うことができ，不用になったＩｎｐｅｒをメモ用紙等に転用することも可能であり，紙資源の有効利用を図ることができる。
【０１５０】
また，前述した実施例１〜７では，読取手段１０２と出力手段１０４とを別々の装置として構成した例を示したが，例えば，デジタル複写機等を用いて読取手段１０２と出力手段１０４とを一体の装置で構成しても良い。
【０１５１】
〔実施例１〜７による関連情報の出力例〕
次に，実施例１〜７のＰＵＩにおいて，Ｉｎｐｅｒ２０１，３０１，４０１上のＤｉｃｏｎにマーカーでマーク（選択情報）を付けて，読取手段１０２で読み取り，検索手段１０３で該当する関連情報を検索し，出力手段１０４で関連情報を出力した場合の，関連情報の出力例について説明する。
【０１５２】
図２６（ａ）に示すように，Ｉｎｐｅｒ２０１のＤｉｃｏｎから所望のＤｉｃｏｎ（ここでは，Ｓｍａｌｌｔａｌｋ−８０）を選択してマーク（選択情報）を付加すると，図２６（ｂ）に示すように，該当する関連情報が記録紙に出力される。図２６では，選択されたＤｉｃｏｎの関連情報中に記載情報（Ｄｉｃｏｎ）がない場合で，かつ，関連情報のみを一枚の記録紙に出力した出力例を示している。
【０１５３】
また，図２７は，図２６（ａ）で選択されたＤｉｃｏｎ（Ｓｍａｌｌｔａｌｋ−８０）の関連情報中に記載情報（Ｄｉｃｏｎ）が存在する場合を示し，この場合には，出力した関連情報そのものが，あらたなＩｎｐｅｒ２０１となり，同様に図２７のＩｎｐｅｒ２０１中のＤｉｃｏｎにマーク（選択情報）を付加することにより，該当するＤｉｃｏｎの関連情報を出力することができる。
【０１５４】
図２８は，選択されたＤｉｃｏｎの関連情報を，Ｉｎｐｅｒ２０１の上の画像中における選択されたＤｉｃｏｎの近傍に噴き出し２８０１として合成出力した例を示す。図示の如く，噴き出し２８０１を用いた場合，近傍のテキスト等が見えなくなるので，この方式で出力した関連情報はＩｎｐｅｒ２０１として不完全であるので，コードエリア２０６とＤｉｃｏｎ（記載情報）を持たせない。
【０１５５】
この場合，図２９に示すように，Ｉｎｐｅｒの読み取り（スキャニング）を行って，コードエリア２０６の識別を行い，コードエリア２０６の内容（２次元バーコード）をデコードして，情報を入力し，選択されたＤｉｃｏｎから関連情報を検索し（ＰＵＩ基本制御と記載する），該当する関連情報の画像（イメージデータ）を生成する。同時に，読み取ったＩｎｐｅｒ２０１全体の画像情報からコードエリア２０６のイメージを削除し，合成手段１０７（パーソナルコンピューター８０２）でコードエリア２０６のイメージを削除した画像と，関連情報の画像とを合成し，出力手段１０４で出力する。
【０１５６】
図３０は，選択されたＤｉｃｏｎの関連情報を脚注としてＩｎｐｅｒ２０１上の画像に合成した例を示す。この場合，選択されたＤｉｃｏｎの近傍には脚注があることを示す星印を付与して，脚注を含む新しいＩｎｐｅｒ２０１の下方に脚注として関連情報を合成する。また，Ｄｉｃｏｎとコードエリア２０６を設けることにより，Ｉｎｐｅｒとして使用可能であるのは勿論である。
【０１５７】
この場合，図３１に示すように，Ｉｎｐｅｒの読み取り（スキャニング）を行って，コードエリア２０６の識別を行い，コードエリア２０６の内容（２次元バーコード）をデコードして，情報を入力し，選択されたＤｉｃｏｎから関連情報を検索し（ＰＵＩ基本制御），該当する関連情報の画像（イメージデータ）を生成する。また，脚注を含む新しいＩｎｐｅｒ２０１上のＤｉｃｏｎの配置に基づいて，新規のコードエリア２０６を生成し，生成した情報を２次元バーコードにエンコードする。このとき，脚注の関連情報中にＤｉｃｏｎが存在する場合には，関連情報中のＤｉｃｏｎを含めて新規のコードエリア２０６を生成する。
【０１５８】
また，同時に読み取ったＩｎｐｅｒ２０１全体の画像情報からコードエリア２０６のイメージを削除し，合成手段１０７（パーソナルコンピューター８０２）でコードエリア２０６のイメージを削除した画像と，脚注の関連情報の画像とを合成し，新規のコードエリア２０６を合成して，出力手段１０４で出力する。
【０１５９】
図３２は，選択されたＤｉｃｏｎの関連情報を挿入段落として，Ｉｎｐｅｒ２０１上の選択されたＤｉｃｏｎの直後に合成した例を示す。この場合，挿入する関連情報は，関連情報であることを示すために段落設定を変えたり，囲み・縁取り等の視覚的な処理を施す。また，Ｄｉｃｏｎとコードエリア２０６を設けることにより，Ｉｎｐｅｒとして使用可能であるのは勿論である。
【０１６０】
図３３は，Ｉｎｐｅｒ識別コード１７０１を用いて，Ｉｎｐｅｒ２０１であるか否かを確認する場合のシーケンス例を示す。図示の如く，Ｉｎｐｅｒ識別コード１７０１によってＩｎｐｅｒ２０１であることが確認された後，ＰＵＩ基本制御（選択情報と連結情報と関連情報の認識および関連情報の検索）が実行される。
【０１６１】
図３４は，一度使用されたＩｎｐｅｒ２０１から未使用のＩｎｐｅｒ２０１を作成するシーケンス例を示す。実際にＩｎｐｅｒ２０１を使用する場合に，同一のＩｎｐｅｒ２０１を複数回使用する場合，すなわち，マーク（選択情報）が付加されて一度使用されたＩｎｐｅｒ２０１を繰り返し使用する場合が発生する。このため，使用したＩｎｐｅｒ２０１を回収して新しい（マーキングされていない）Ｉｎｐｅｒ２０１を提供する必要がある。この場合，新しいＩｎｐｅｒ２０１を出力するためには，コードエリア２０６にＩｎｐｅｒ２０１自身の情報をコード化して格納しておくことが望ましいが，コードエリア２０６の容量は限られているので，この方法では効率が悪い。したがって，図３４に示すように，Ｉｎｐｅｒ２０１を読取手段１０２で読み取った画像（イメージ）からマーク（選択情報），コードエリア２０６およびＩｎｐｅｒ識別コード１７０１を削除した画像を作成し，同時にコードエリア２０６およびＩｎｐｅｒ識別コード１７０１は，認識のために一旦デコードしたものを再度エンコードして，上記削除後の画像と合成して，出力手段１０４で出力する。これにより，情報が失われることなく新しいＩｎｐｅｒ２０１を作成することができる。
【０１６２】
〔実施例の効果〕
前述したように実施例１〜実施例７によれば，媒体用紙１０１上に記載されている単語，文章，シンボルまたはグラフィックに関連する詳細な追加的な情報が人間の目に見えない形で媒体用紙１０１上に記憶されており，ユーザーが必要とする追加的な情報（関連情報）を，上記媒体用紙１０１の該当する記載情報にマーキング（選択情報の付与）することで，電子的に取り出すことができる。第一位に伝えたい文書情報と該文書情報に関連する追加的な文書情報（関連情報）とを同一の用紙（媒体用紙）に記録して，媒体用紙上の第一位に伝えたい文書情報中の記載情報を用いて所望の関連情報を検索することができる。また，紙の文書を用いたハイパーテキスト（紙ハイパーテキスト）を実現することができ，紙の文書の新たな利用法を提供すると共に，紙の文書の利便性の向上を図ることができる。
【０１６３】
また，関連情報が媒体用紙１０１自体に記載されているので，その他の記録媒体と連結して情報を検索し，取り出すような大掛かりなシステム構成を必要としない。すなわち，媒体用紙１０１と，デジタル複写機またはスキャナーとプリンターがあれば良く，簡単な構成で必要な関連情報を取り出すことができる。
【０１６４】
また，関連情報自体を媒体用紙１０１として出力する場合には，出力した関連情報（媒体用紙１０１）から，さらに追加的な情報（関連情報）を取り出すことができる。
【０１６５】
また，関連情報を２次元バーコードとして媒体用紙１０１上に記録するので，視認可能な文字の大きさに制限されることなく，記録する文書全体の情報量を増やすと共に，紙の文書を保存する際の保存スペースの低減を図ることができる。
【図面の簡単な説明】
【０１６６】
【図１】本発明の文書情報管理システムのブロック構成図（本発明の請求項１ないし請求項５のクレーム対応図）である。
【図２】本発明の文書情報管理システムのブロック構成図（本発明の請求項６のクレーム対応図）である。
【図３】本発明の文書情報管理システムのブロック構成図（本発明の請求項７のクレーム対応図）である。
【図４】本発明の文書情報管理システムのブロック構成図（本発明の請求項８のクレーム対応図）である。
【図５】本発明の文書情報管理システムのブロック構成図（本発明の請求項１６ないし請求項１８のクレーム対応図）である。
【図６】本発明の文書情報管理システムのブロック構成図（本発明の請求項１９のクレーム対応図）である。
【図７】実施例１のＰＵＩのＩｎｐｅｒ（媒体用紙）の構成を示す説明図である。
【図８】実施例１のＰＵＩのハード構成図である。
【図９】Ｄｉｃｏｎと関連情報とのリンク関係を示す説明図である。
【図１０】選択情報の加筆（マーキング）の例を示す説明図である。
【図１１】連結情報の一部である記載位置情報を示す説明図である。
【図１２】記載位置情報とアドレス情報とで連結情報（連結情報テーブル）を構成した例を示す説明図である。
【図１３】記載位置情報と記載認識情報とで連結情報（連結情報テーブル）を構成した例を示す説明図である。
【図１４】Ｉｎｐｅｒが持たなければならない関連情報を示す説明図である。
【図１５】実施例２のＩｎｐｅｒ（媒体用紙）の構成を示す説明図である。
【図１６】実施例２のＰＵＩのハード構成図である。
【図１７】実施例３のＩｎｐｅｒ（媒体用紙）の構成を示す説明図である。
【図１８】実施例５のＰＵＩのハード構成図である。
【図１９】実施例６のＰＵＩのハード構成図である。
【図２０】実施例７のＩｎｐｅｒ（媒体用紙）の構成を示す説明図である。
【図２１】実施例７のＰＵＩのハード構成図である。
【図２２】非可視光で読み取り可能な半透明のインクまたはトナーを用いたＩｎｐｅｒ（媒体用紙）の例を示す説明図である。
【図２３】非可視光で読み取り可能な半透明のインクまたはトナーを用いたＩｎｐｅｒ（媒体用紙）の例を示す説明図である。
【図２４】非可視光で読み取り可能な半透明のインクまたはトナーを用いたＩｎｐｅｒ（媒体用紙）の例を示す説明図である。
【図２５】非可視光で読み取り可能な半透明のインクまたはトナーを用いたＩｎｐｅｒ（媒体用紙）の例を示す説明図である。
【図２６】実施例１〜７による関連情報の出力例を示す説明図である。
【図２７】実施例１〜７による関連情報の出力例を示す説明図である。
【図２８】実施例１〜７による関連情報の出力例を示す説明図である。
【図２９】噴き出しとして関連情報を合成する際の合成手段を用いた画像合成のシーケンスを示す説明図である。
【図３０】実施例１〜７による関連情報の出力例を示す説明図である。
【図３１】脚注として関連情報を合成する際の合成手段を用いた画像合成のシーケンスを示す説明図である。
【図３２】実施例１〜７による関連情報の出力例を示す説明図である。
【図３３】Ｉｎｐｅｒ識別コードを用いて，Ｉｎｐｅｒであるか否かを確認する場合のシーケンス例を示す説明図である。
【図３４】一度使用されたＩｎｐｅｒから未使用のＩｎｐｅｒを作成するシーケンス例を示す説明図である。
【符号の説明】
【０１６７】
１０１    媒体用紙
１０２    読取手段
１０３    検索手段
１０４    出力手段
１０５    シート自動搬送手段
１０６    確認手段
１０７    合成手段
１０８    媒体用紙確認手段
２０１    Ｉｎｐｅｒ（媒体用紙）
２０２    テキストＤｉｃｏｎ
２０３    シンボルＤｉｃｏｎ
２０４    グラフィックＤｉｃｏｎ
２０５    タイトルＤｉｃｏｎ
２０６    コードエリア
２０７    Ｉｎｐｅｒ  ＩＤ
２０８    Ｏｗｎｅｒ  ＩＤ
３０１    Ｉｎｐｅｒ（媒体用紙）
３０２    裏面コードエリア
４０１    Ｉｎｐｅｒ（媒体用紙）
４０２    コードエリア
８０１    イメージスキャナー（読取手段）
８０２    パーソナルコンピューター（検索手段，合成手段）
８０３    プリンター（出力手段）
１６０１    反転両面ＡＤＦスキャナー（読取手段・シート自動搬送手段）
１６０２    イメージセンサー
１６０３    反転ガイド
１６０４    反転ローラ
１６０５    イメージセンサー
１７０１    Ｉｎｐｅｒ識別コード
１９０１    イメージスキャナー（読取手段）
１９０２    第１イメージセンサー
１９０３    第２イメージセンサー
２１０１    イメージスキャナー（読取手段）
２１０２    イメージセンサー
２１０３    Ｉｎｐｅｒ識別コードイメージセンサー
２８０１    噴き出し
【図１】
2004348747.tif 000003
【図２】
2004348747.tif 000004
【図３】
2004348747.tif 000005
【図４】
2004348747.tif 000006
【図５】
2004348747.tif 000007
【図６】
2004348747.tif 000008
【図７】
2004348747.tif 000009
【図８】
2004348747.tif 000010
【図９】
2004348747.tif 000011
【図１０】
2004348747.tif 000012
【図１１】
2004348747.tif 000013
【図１２】
2004348747.tif 000014
【図１３】
2004348747.tif 000015
【図１４】
2004348747.tif 000016
【図１５】
2004348747.tif 000017
【図１６】
2004348747.tif 000018
【図１７】
2004348747.tif 000019
【図１８】
2004348747.tif 000020
【図１９】
2004348747.tif 000021
【図２０】
2004348747.tif 000022
【図２１】
2004348747.tif 000023
【図２２】
2004348747.tif 000024
【図２３】
2004348747.tif 000025
【図２４】
2004348747.tif 000026
【図２５】
2004348747.tif 000027
【図２６】
2004348747.tif 000028
【図２７】
2004348747.tif 000029
【図２８】
2004348747.tif 000030
【図２９】
2004348747.tif 000031
【図３０】
2004348747.tif 000032
【図３１】
2004348747.tif 000033
【図３２】
2004348747.tif 000034
【図３３】
2004348747.tif 000035
【図３４】
2004348747.tif 000036